(57)【特許請求の範囲】
【請求項１】
観察用光学機器の接眼レンズに適用される目当て装置であって、前記接眼レンズの鏡筒側に対して適宜固定可能な第１の筒状部材と、この第１の筒状部材の外側にその中心軸線に沿って摺動自在に嵌合させられた第２の筒状部材とから成り、前記第２の筒状部材が前記第１の筒状部材に対して押し込められた収納位置と該第１の筒状部材から引き出された突出位置との間で移動可能とされる目当て装置において、
前記第１の筒状部材の周囲壁中にはその材料の一部を切除することにより弾性変形可能な可動片が一体的に成形され、前記可動片は、前記第１の筒状部材の後方端縁から前方端縁に向かうように延設され、その支持端が前記第１の筒状部材の後方端縁に連結され、その自由端が前記周囲壁の中間領域にある片持ち梁状の部材であり、この可動片の外側には突起部が形成され、前記第２の筒状部材の内側壁面にはその中心軸線に沿って該第２の筒状部材の後方端縁からその前方端縁に向かって延びるガイド溝が形成され、このガイド溝には前記突起部が摺動自在に受け入れられ、前記第２の筒状部材が前記第１の筒状部材から前記突出位置まで引き出されたとき、前記ガイド溝の終端が前記突起部に対して当接し、これにより該第１の筒状部材からの該第２の筒状部材の抜落ちが防止され、前記ガイド溝の終端に対する前記突起部の当接時に前記可動片が前記第１の筒状部材の半径方向外側に弾性変形させられるような力を受けることを特徴とする目当て装置。
【請求項２】
請求項１に記載の目当て装置において、前記第１の筒状部材には前記可動片が複数個その周囲方向に沿って等間隔に配置され、前記第２の筒状部材には前記ガイド溝が前記可動片の個数に対応した個数だけその周囲方向に沿って等間隔に配置されることを特徴とする目当て装置。
【請求項３】
請求項１または２に記載の目当て装置において、前記第１の筒状部材の外側壁面にはその中心軸線に沿って延びる凸条突起部が形成され、前記第２の筒状部材の内側壁面には前記凸条突起部を摺動自在に受け入れるために該第２の筒状部材の外側端縁からその内側端縁に向かって延びる凹条溝部が形成されることを特徴とする目当て装置。
【請求項４】
請求項３に記載の目当て装置において、前記第１の筒状部材の外側壁面には前記凸条突起部が複数本形成され、前記第２の筒状部材の内側壁面には前記凹条溝部が前記凸条突起部の本数に対応した本数だけ形成されることを特徴とする目当て装置。
【請求項５】
請求項１または２に記載の目当て装置において、前記第２の筒状部材の内側壁面にはその中心軸線に沿って延びる凸条突起部が形成され、前記第１の筒状部材の外側壁面には前記凸条突起部を受け入れるために該第１の筒状部材の外側端縁からその内側端縁に向かって延びる凹条溝部が形成されることを特徴とする目当て装置。
【請求項６】
請求項５に記載の目当て装置において、前記第２の筒状部材の内側壁面には前記凸条突起部が複数本形成され、前記第１の筒状部材の外側壁面には前記凹条溝部が前記凸条突起部の本数に対応した本数だけ形成されることを特徴とする目当て装置。
【請求項７】
請求項１に記載の目当て装置において、前記突起部は横断面円形であり、頂部の前方側半分は半円形平坦面、後方側半分は半円形傾斜面として形成され、前記半円形傾斜面は前記第１の筒状部材の後方側端面に向かって次第に低くなるように傾斜させられて前記第１の筒状部材の外側壁面に連なることを特徴とする目当て装置。
【発明の詳細な説明】
【０００１】
【発明の属する技術分野】
本発明は観察用光学機器例えば双眼鏡、単眼鏡、ビデオカメラのファインダ光学系等の接眼レンズに適用される目当て装置に関する。
【０００２】
【従来の技術】
周知のように、目当て装置は上述したような観察用光学機器の接眼レンズとアイポイントとの間の目距離(eye relief)を設定すると共に周囲からの光の入射を防止して観察像を見易くする目的で使用されるものである。このような目当て装置は観察用光学機器の接眼レンズの鏡筒側に対して適宜固定可能な第１の筒状部材と、この第１の筒状部材にその中心軸線に沿って摺動自在に嵌合させられた第２の筒状部材とから成り、第２の筒状部材が第１の筒状部材に対して押し込められた収納位置と該第１の筒状部材から引き出された突出位置との間で移動可能とされる。
【０００３】
このような目当て装置は必要に応じて利用される。即ち、目当て装置を利用するとき、第２の筒状部材が第１の筒状部材から引き出されて突出位置に設定され、このとき第２の筒状部材を通して接眼レンズを覗くと、アイポイントは該接眼レンズに対して所定目距離に置かれることになる。一方、目当て装置を利用しないとき、第２の筒状部材は第１の筒状部材に対して押し込まれた収納位置に置かれ、このとき目距離は観察者により任意に設定される。なお、眼鏡を掛けた状態で接眼レンズを覗くときは、目当て装置は通常は利用されることはなく、この場合には第２の筒状部材は収納位置に置かれた儘とされる。
【０００４】
上述したように、目当て装置では、第２の筒状部材が第１の筒状部材に対して収納位置と突出位置との間で移動可能とされる。第１の筒状部材から第２の筒状部材を抜き出す際に該第２の筒状部材をその突出位置に留めるために双方の筒状部材にはストップ機構が組み込まれる。例えば、双方の筒状部材に互いに当接するようになった当接部が形成され、第２の筒状部材が第１の筒状部材からその突出位置まで引き出されたとき、双方の当接部が互いに係合させられ、これにより第２の筒状部材がその突出位置を越えて第１の筒状部材から引き出されることが阻止される。
【０００５】
【発明が解決しようとする課題】
ところで、以上で述べたような目当て装置の製造では、第１及び第２の筒状部材はそれぞれ独立した部品として作成され、その後互いに摺動自在に嵌合するように組み付けられる。このような組付時、ストップ機構の双方の当接部は互いに邪魔し合う位置にあるので、例えば、第１及び第２の筒状部材の組付については工夫することが必要となり、しかも第１及び第２の筒状部材の組付が一旦完了した後その組付が容易に外れないようにすることが望まれる。例えば、ストップ機構の双方の当接部の係合により、第２の筒状部材が第１の筒状部材に対して突出位置に置かれているとき、第２の筒状部材に不用意に大きな力を及ぼしたとき、該双方の当接部の係合が外れて第２の筒状部材が第１の筒状部材から抜け落ちるような事態は避けられなければならない。一般的に、第1及び第2の筒状部材の組付が容易になるようにストップ機構が設計されると、そのストップ機構の双方の係合部は外れ易いという傾向がある。
【０００６】
従って、本発明の目的は、観察用光学機器の接眼レンズの鏡筒側に対して適宜固定可能な第１の筒状部材と、この第１の筒状部材にその中心軸線に沿って摺動自在に嵌合させられた第２の筒状部材とから成り、第２の筒状部材が第１の筒状部材に対して押し込められた収納位置と該第１の筒状部材から引き出された突出位置との間で移動可能とされる目当て装置であって、第1及び第2の筒状部材の組付が容易に行えると共に第１及び第２の筒状部材の組付が一旦完了した後その組付が容易に外れないように構成された目当て装置を提供することである。
【０００７】
また、第１の筒状部材に対する第２の筒状部材の摺動運動を円滑に行わせるためには、第１及び第２の筒状部材の嵌合時その間に或る程度のクリアランスを与えることが必要であり、このようなクリアランスの存在は一方では第２の筒状部材に所謂ガタを生じさせる結果となる。
【０００８】
従って、本発明の別の目的は、上述したように構成された目当て装置であって、更に、第２の筒状部材の所謂ガタを生じさせることなく第１の筒状部材に対する第２の筒状部材の摺動運動を円滑に行い得る目当て装置を提供することである。
【０００９】
【課題を解決するための手段】
本発明による目当て装置は観察用光学機器の接眼レンズに適用されるものであって、該接眼レンズの鏡筒側に対して適宜固定可能な第１の筒状部材と、この第１の筒状部材の外側にその中心軸線に沿って摺動自在に嵌合させられた第２の筒状部材とから成るものである。第２の筒状部材は第１の筒状部材に対して押し込められた収納位置と該第１の筒状部材から引き出された突出位置との間で移動可能とされる。第１の筒状部材の周囲壁中にはその材料の一部を排除することにより弾性変形可能な可動片が一体的に成形され、この可動片の外側には突起部が形成される。第２の筒状部材の内側壁面にはその中心軸線に沿って該第２の筒状部材の後方端縁からその前方端縁に向かって延びるガイド溝が形成され、このガイド溝には突起部が摺動自在に受け入れられる。第２の筒状部材が第１の筒状部材から突出位置まで引き出されたとき、ガイド溝の終端が突起部に対して当接し、これにより該第１の筒状部材からの該第２の筒状部材の抜落ちが防止される。ガイド溝の終端に対する突起部の当接時に可動片は第１の筒状部材の半径方向外側に弾性変形させられるような力を受けることが特徴とされる。
【００１０】
好適な実施形態にあっては、第１の筒状部材には可動片が複数個その周囲方向に沿って等間隔に配置され、一方第２の筒状部材にはガイド溝が該可動片の個数に対応した個数だけその周囲方向に沿って等間隔に配置される。
【００１１】
本発明による目当て装置において、第１の筒状部材の外側壁面にはその中心軸線に沿って延びる凸条突起部が形成されてもよく、この場合には第２の筒状部材の内側壁面には該凸条突起部を摺動自在に受け入れるために該第２の筒状部材の外側端縁からその内側端縁に向かって延びる凹条溝部が形成される。好ましくは、第１の筒状部材の外側壁面には凸条突起部が複数本形成され、第２の筒状部材の内側壁面には凹条溝部が凸条突起部の本数に対応した本数だけ形成される。
【００１２】
また、本発明による目当て装置では、第２の筒状部材の内側壁面にはその中心軸線に沿って延びる凸条突起部が形成されてもよく、この場合には第１の筒状部材の外側壁面には凸条突起部を受け入れるために該第１の筒状部材の外側端縁からその内側端縁に向かって延びる凹条溝部が形成される。好ましくは、第２の筒状部材の内側壁面には凸条突起部が複数本形成され、第１の筒状部材の外側壁面には凹条溝部が凸条突起部の本数に対応した本数だけ形成される。
【００１３】
【発明の実施の形態】
次に、添付図面を参照して、本発明による目当て装置の一実施形態について説明する。
【００１４】
図１を参照すると、本発明による目当て装置を装備した双眼鏡が参照符号１０で全体的に示される。なお、本明細書では、双眼鏡１０の対物側及び接眼側がそれぞれ前方側及び後方側として定義され、図１では、双眼鏡１０の前方側及び後方側がそれぞれ参照符号１２Ｆ及び１２Ｒで示される。
【００１５】
双眼鏡１０は本体部１０Ａ及び一対の接眼部１０Ｂから成り、一対の接眼部１０Ｂは本体部の１０Ａの後方側に両側に配置される。本体部１０Ａ内には一対の対物光学系（図示されない）が左右に内蔵され、各対物光学系には対物レンズやプリズム等が含まれ、一対の対物レンズは本体部１０Ａの前方側端面で左右に配置される。
【００１６】
一方、各接眼部１０Ｂには開口ボア１４が形成され、この開口ボア１４内には接眼レンズ系を内蔵する接眼レンズ鏡筒１６が挿入されて固定されるようになっている。接眼レンズ鏡筒１６には接眼レンズ系が内蔵され、左右の接眼レンズ系はそれぞれ本体部１０Ａ内の左右の対物光学系と光学的に協働させられる。
【００１７】
開口ボア１４内で接眼レンズ鏡筒１６を固定させるために、開口ボア１４の奥まった箇所に内側フランジ１７が形成され、また開口ボア１４の内周壁には内側フランジ１７に隣接してその後方側に雌ねじ部１８が切られる。一方、接眼レンズ鏡筒１６の前方端縁には外側フランジ１９が設けられ、この外側フランジ１９の外径は開口ボア１４の内径よりも幾分小さいが、しかし該開口ボア１４内の内側フランジ１７の内径よりも大きなものとされる。即ち、接眼レンズ鏡筒１６が開口ボア１４内に挿入させられたとき、外側フランジ１９は開口ボア１４内の内側フランジ１７と当接するようになっている。なお、開口ボア１４内での接眼レンズ鏡筒１６の固定については後述する。
【００１８】
本体部１０Ａには左右の中間位置でしかも一対の接眼部１０Ｂ間に転輪１０Ｃが回転自在に配置され、この転輪１０Ｃと一対の対物レンズ系を支持する支持板（図示されない）との間には例えばカム機構（図示されない）が介在させられる。双眼鏡１０で観察中、転輪１０Ｃは例えば人指し指で回転させられ、これにより上述の支持板が前後方向に移動させられ、かくして一対の対物レンズ系と一対の接眼レンズ系との距離が調整されて観察像の合焦が行われる。
【００１９】
本発明による目当て装置は一対用意され、各目当て装置は個々の接眼レンズ鏡筒１６の接眼レンズに対して適用される。図１に示すように、各目当て装置は第１の筒状部材２０、第２の筒状部材２２と、目当て環２４とから成る。第１及び第２の筒状部材２０及び２２は適当な合成樹脂材料から一体成形品として個別に形成され、目当て環２４は適当なゴム材料から形成される。
【００２０】
第１の筒状部材２０の前方側にはその外周壁面に雄ねじ部２１が切られ、第１の筒状部材２０はその雄ねじ部２１でもって該当接眼部１０Ｂの開口ボア１４内の雌ねじ部１８に螺着されるようになっている。即ち、図１から明らかなように、第１の筒状部材２０の内径は接眼レンズ鏡筒１６の外径よりも大きくしかも開口ボア１４の内径よりも小さい。かくして、接眼レンズ鏡筒１６が開口ボア１４内に挿入されてその外側フランジ１９が開口ボア１４内の内側フランジ１７に当接させた状態で第１の筒状部材２０の雄ねじ部２１を雌ねじ部１８にねじ込むことにより、第１の筒状部材２０は接眼レンズ鏡筒１６と共に開口ボア１４内で固定されることになる。
【００２１】
本実施形態においては、図２に最もよく図示するように、第１の筒状部材２０の周囲壁中には弾性変形可能な第１の可動片２６が該周囲壁の材料の一部を排除することにより一体的に形成される。即ち、第１の筒状部材２０の周囲壁には略コ字状スロットが形成され、第１の可動片２６はその略コ字状スロットの内側領域部、即ち片持ち梁の態様で支持された領域部とされる。図２に示すように、第１の可動片２６は第１の筒状部材２０の直径方向に一対配置されるが、必要に応じて、第１の可動片２６を３つ或いは４つ形成してもよく、その場合には、第１の可動片２６は好ましくは第１の筒状部材２０の周囲に沿って等間隔に配置される。
【００２２】
第１の可動片２６の自由端は第１の筒状部材２０の前方側となり、その支持端は第１の筒状部材２０の後方側となる。このような第１の可動片２６の配置は本発明にとって重要な特徴となるが、その理由については後で詳述する。
【００２３】
第１の可動片２６の外側面には突起部２８が一体的に形成され、本実施形態では、突起部２８は横断面円形とされる。円形突起部２８の頂部の前方側半分は半円形平坦面２８Ａとして形成され、その後方側半分が半円形傾斜面２８Ｂとして形成される。図２から明らかなように、半円形傾斜面２８Ｂは第１の筒状部材２０の後方側端面に向かって次第に低くなるように傾斜させられて該第１の筒状部材２０の外側壁面に連なる。
【００２４】
また、第１の筒状部材２０の外側壁面にはその中心軸線に沿って延びる二対の凸条突起部３０及び３２が一体的に形成され、好ましくは、各一対の凸条突起部（３０、３２）は第１の筒状部材２０の直径方向に配置される。本実施形態では、一方の一対の凸条突起部３０の幅は他方の一対の凸条突起部３２の幅よりも広くされているが、しかし双方の凸条突起部３０及び３２の幅は等しくてもよく、或いは凸条突起部３０の幅を凸条突起部３２の幅よりも狭くしてもよい。
【００２５】
更に、第１の筒状部材２０の周囲壁にはその後方端縁側に弾性変形可能な第２の可動片３４が形成され、この第２の可動片３４は第１の筒状部材２０の後方端縁から一対のスロットを形成することより一体的に形成され、このため第２の可動片３４は第１の筒状部材２０の前方端縁側で片持ち梁の態様で支持される。第１の可動片２６の場合と同様に、第２の可動片３４も第１の筒状部材２０の直径方向に一対配置される。図２に示すように、第２の可動片３４の外側面には横断面半円形の突起部３６が一体的に形成され、この横断面半円形突起部３６はその長手方向軸線が第１の筒状部材２０の周囲方向に沿うように配置される。
【００２６】
一方、第２の筒状部材２２の内径は第１の筒状部材２０の外径よりも幾分大きく、このため第１の筒状部材２０の外側にはその中心軸線に沿って第２の筒状部材２２が摺動自在に嵌合させられるようになっている。このような嵌合のために、先ず、第２の筒状部材２２の内側壁面には第１の筒状部材２０側の第１の可動片２６の円形突起部２８を摺動自在に受け入れるための一対のガイド溝２８′が形成され、各ガイド溝２８′は第２の筒状部材２２の後方端縁からその前方端縁に向かって延びる。各ガイド溝２８′の終端は第２の筒状部材２２の前方端縁から所定の距離の箇所に位置させられ、しかも円形突起部２８にぴったり適合するように半円形を成す。
【００２７】
また、第１及び第２の筒状部材２０及び２２の嵌合時に第１の筒状部材２０側の二対の凸条突起部３０及び３２をそれぞれ摺動自在に受け入れるために、第２の筒状部材２２の内側壁面には二対の凹条溝部３０′及び３２′がその中心軸線に沿って該内側壁面を通り抜けるように形成される。勿論、図２から明らかなように、一対の凹条溝部３０′は第１の筒状部材２０側の一対の凸条突起部３０を摺動自在に受け入れるためのものであり、一対の凹条溝部材３２′は第１の筒状部材２０側の一対の凸条突起部３２を摺動自在に受け入れるためのものである。
【００２８】
更に、第１及び第２の筒状部材２０及び２２の嵌合時に第１の筒状部材２０側の第２の可動片３４の横断面半円形突起部３６を摺動自在に受け入れるために、第２の筒状部材２２の内側壁面にはガイド溝３６′が該第２の筒状部材２２の前方端縁からその後方端縁側に向かって延びるように形成される。各ガイド溝３６′の終端は第２の筒状部材２２の前方端縁及び後方端縁間のほぼ中間の所定位置に位置し、第２の筒状部材２２の後方端縁と各ガイド溝３６′の終端との間には２つの開口部３６1及び３６2が該ガイド溝３６′と一直線上に整列するように形成され、各開口部(３６1、３６2)には第２の可動片３４の横断面半円形突起部３６を受け入れ得るような寸法形状が与えられる。
【００２９】
なお、本実施形態にあっては、第２の筒状部材２２の後方端縁側部分は環状肉厚部２２Ａとして形成され、開口部３６1及び３６2は環状肉厚部２２Ａに形成され、また環状肉厚部２２Ａは目当て環２４（図１）の装着箇所としても用いられる。
【００３０】
第１の筒状部材２０の外側に第２の筒状部材２２を嵌合させるためには、先ず、第１及び第２の筒状部材２０及び２２は図２に示すような位置関係で互いに接近させられ、次いで第１の筒状部材２０の後方端縁側が第２の筒状部材２２の前方端縁内に挿入させられると、第１の可動片２６の円形突起部２８の半円形傾斜面２８Ｂが第２の筒状部材２２の前方端縁に当接させられる。このとき第１の筒状部材２０が第２の筒状部材２２内に所定の押込み力以上の力で押し込められると、各円形突起部２８の半円形傾斜面２８Ｂと第２の筒状部材２２の前方端縁との当接係合のために、該第１の可動片２６は半径方向内側に弾性変形させられ、このため各円形突起部２８は第２の筒状部材２２の前方端縁とその該当ガイド溝２８′の終端との間を通り抜けることが可能となり、かくして各円形突起部２８はその該当ガイド溝２８′に受け入れられることになる。
【００３１】
第１の筒状部材２０が第２の筒状部材２２内に更に押し進められると、第１の筒状部材２０側の第２の可動片３４の横断面半円形突起部３６がガイド溝３６′の終端に当接させられる。このとき第１の筒状部材２０を第２の筒状部材２２内に所定の押込み力以上の力で押し込められると、横断面半円形突起部３６はその半円形状のためにガイド溝３６′の終端を乗り越えると共に第２の可動片３４は半径方向内側に弾性変形して開口部３６1内に係合させられる。
【００３２】
第１の筒状部材２０が第２の筒状部材２２内に更に所定の押込み力以上の力で押し込められると、横断面半円形突起部３６は開口部３６1から抜け出ると共に第２の可動片３４は半径方向内側に弾性変形して開口部３６2内に係合させられる。このとき第２の筒状部材２２の環状肉厚部２２Ａの前方側端縁は第２の筒状部材２２の雄ねじ部２１の後方端縁に当接させられ、第２の筒状部材２２内への第１の筒状部材２０の更なる押込みは阻止される。
【００３３】
このようにして組み付けられた第１及び第２の筒状部材２０及び２２は目当て装置として図３に示すように双眼鏡１０の各接眼部１０Ｂの開口ボア１４内の雌ねじ部１６に螺着させられる。図３に示すように、本実施形態では、双眼鏡１０の各接眼部１０Ｂは合成樹脂部分１０Ｂ1にゴム材料１０Ｂ2を被覆したものとして構成され、同様なことは双眼鏡１０の本体部１０Ａについても言える。なお、適当なゴム材料から形成された目当て環２４については、第１及び第２の筒状部材２０及び２２の組付（嵌合）前か或いは組付後に第２の筒状部材２２の環状肉厚部材２２Ａに装着される。
【００３４】
図３では、第２の筒状部材２２は第１の筒状部材２０に対して収納された収納位置で示され、このとき目当て装置自体は非利用状態であり、例えば接眼レンズ鏡筒１６の接眼レンズは眼鏡を掛けた人によって覗かれる。なお、第２の筒状部材２２が第１の筒状部材２０に対して収納位置に置かれているとき、第１の筒状部材２０側の第２の可動片３４の横断面半円形突起部３６は第２の筒状部材２２側の開口部３６2に対して所謂クリック止め係合状態にあるので、第２の筒状部材２２に所定の引出し力以上の力が及ぼされない限り、第２の筒状部材２２は第１の筒状部材２０から引き出されることはなく、図３に示すような収納位置に留められる。
【００３５】
一方、眼鏡を掛けない人によって接眼レンズが覗かれるとき、その人のアイポイントと接眼レンズの目距離を設定するために、第２の筒状部材２２に所定の引出し力以上の力が及ぼされると、開口部３６2に対する横断面半円形突起部３６のクリック止め係合が外れ、これにより第２の筒状部材２２は第１の筒状部材２０から引き出される。その後、横断面半円形突起部３６は第２の筒状部材２２側の開口部３６1とクリック止め係合させられ、このとき接眼レンズに対する第１の目距離が設定される。
【００３６】
第２の筒状部材２２に対して所定の引出し力以上の力が更に及ぼされると、開口部３６1に対する横断面半円形突起部３６のクリック止め係合が外れ、これにより第２の筒状部材２２は第１の筒状部材２０から更に引き出される。その後、横断面半円形突起部３６は第２の筒状部材２２側のガイド溝３６′の終端とクリック止め係合させられ、このとき接眼レンズに対する第２の目距離が設定される。
【００３７】
一方、第２の目距離が設定されたとき、第２の筒状部材２２は第１の筒状部材２０から図４に示すような突出位置まで引き出され、このとき第１の筒状部材２０側の第１の可動片２６の円形突起部２８は第２の筒状部材２２側のガイド溝２８′の終端と当接係合させられ、これにより第１の筒状部材２０からの第２の筒状部材２２の抜出しが阻止される。
【００３８】
ここで注目すべきことは、第２の筒状部材２２が図４の突出位置を越えて第１の筒状部材２０から引き出されるような力を受けたとき、第１の可動片２６が半径方向外側に向かって弾性変形させられるということである。即ち、第１の可動片２６の弾性変形が円形突起部２８とガイド溝２８′の終端との当接係合を確実に保証するような方向で行われるということである。勿論、このような作用は、先に述べたように、第１の可動片２６が第１の筒状部材２０の後方端縁側で片持ち梁の態様で支持されているということから得られるものである。要するに、第２の筒状部材２２が図４の突出位置を越えて第１の筒状部材２０から引き出されるような力を受けたとき、円形突起部２８とガイド溝２８′の終端との当接係合が確実に維持され、このため第１の及び第２の筒状部材２０及び２２の組付が外れ難くされる。
【００３９】
以上に述べた場合とは反対に、もし第１の可動片２６が第１の筒状部材２０の前方端縁側で片持ち梁の態様で支持されているとすると、第２の筒状部材２２がその突出位置を越えて第１の筒状部材２０から引き出されるような力を受けたとき、第１の可動片２６が半径方向内側に向かって弾性変形させられるので、円形突起部２８はガイド溝２８′の終端との当接係合から容易に離脱されられ、その結果として、第１の及び第２の筒状部材２０及び２２の組付が外れ易くなるということになる。
【００４０】
また、第１の筒状部材２０に対する第２の筒状部材２２の摺動運動を円滑に行わせるためには、第１及び第２の筒状部材２０及び２２との間には或る程度のクリアランスを与えることが必要となり、そのようなクリアランスの存在のために、通常は、第１の筒状部材２０に対して第２の筒状部材２２に半径方向の所謂ガタを生じさせる結果となるが、しかし上述した実施形態では、第１の筒状部材２０側の二対の凸条突起部３０及び３２と第２の筒状部材２２側の二対の凹条溝部３０′及び３２′とのそれぞれの摺動係合により、第１の筒状部材２０に対する第２の筒状部材の半径方向の所謂ガタは排除される。
【００４１】
詳述すると、各凸条突起部（３０、３２）の幅寸法に対する各凹条溝部（３０′、３２′）の幅寸法の公差を比較的厳格に規制したとしても、各凸条突起部（３０、３２）の側面と各凹条溝部（３０′、３２′）の側面との接触面積はきわて小さいので、第１の筒状部材２０に対する第２の筒状部材２２の円滑な摺動運動は阻害されることはなく、このため各凸条突起部（３０、３２）の側面と各凹条溝部（３０′、３２′）の側面とは比較的密接させられた状態で互いに係合させられ、その結果、第１の筒状部材２０に対する第２の筒状部材の半径方向の所謂ガタについては効果的に排除され得ることになる。
【００４２】
上述の実施形態では、凸条突起部（３０、３２）は第１の筒状部材２０側に設け、凹条溝部（３０′、３２′）は第２の筒状部材２２側に設けられているが、必要に応じて、第１の筒状部材２０側に凹条溝部（３０′、３２′）を設け、第２の筒状部材２２側に凸条突起部（３０、３２）を設けるようにしてもよい。
【００４３】
４本の凸条突起部（３０、３２）並びに４本の凹条溝部（３０′、３２′）のそれぞれについては第１及び第２の筒状部材２０及び２２の周囲方向に沿って等間隔に配置することが好ましいが、しかし上述の実施例では、４本の凸条突起部（３０、３２）並びに４本の凹条溝部（３０′、３２′）は等間隔には配置されていない。というのは、第１及び第２の筒状部材２０及び２２を樹脂材料から一体成形する際の成形型が２つ割り構造した場合には、４本の凸条突起部（３０、３２）並びに４本の凹条溝部（３０′、３２′）を等間隔に配置することが難しいからである。成形型を例えば４つ割り構造とすることにより、４本の凸条突起部（３０、３２）並びに４本の凹条溝部（３０′、３２′）のそれぞれを第１及び第２の筒状部材２０及び２２の周囲方向に沿って等間隔に配置することが可能である。一方、凸条突起部（３０、３２）並びに凹条溝部（３０′、３２′）のそれぞれを奇数本設けてもよく、この場合にも、凸条突起部（３０、３２）並びに凹条溝部（３０′、３２′）については等間隔に配置することが好ましい。
【００４４】
【発明の効果】
以上の記載から明らかなように、本発明による目当て装置においては、その構成要素である第１及び第２の筒状部材の組付が容易に行われるだけでなく、その組付が一旦完了した後は容易に外れないようになっているので、目当て装置の作動信頼性が大巾に高められる。また、第１及び第２の筒状部材間にその中心軸線に沿って互いに係合する凸条突起部及び凹条溝部が設けられた場合には、第１の筒状部材に対する第２の筒状部材の摺動運動を所謂ガタ無しに行うことが可能となる。
【図面の簡単な説明】
【図１】本発明による目当て装置を装備した双眼鏡の斜視図であって、その部品の一部を部品配列図として示す図である。
【図２】本発明による目当て装置を構成する第１及び第２の筒状部材を図１から抜き出して拡大部品配列図として示す図である。
【図３】図２に示す第１及び第２の筒状部材を互いに組み付けて双眼鏡の接眼部の開口ボア内に目当て装置として螺着させた状態で示す部分断面図であって、その上側断面図と下側断面図とが異なった断面で切り取られたものを組み合わせた図である。
【図４】図３と同様な部分断面図であって、第２の筒状部材を第１の筒状部材から引き出した突出位置で示す図である。
【符号の説明】
１０  双眼鏡
１０Ａ  本体部
１０Ｂ  接眼部
１０Ｃ  転輪
１４  開口ボア
１６  接眼レンズ鏡筒
２０  第１の筒状部材
２２  第２の筒状部材
２４  目当て環
２６  第１の可動片
２８  円形突起部
３０・３２  凸条突起部
３４  第２の可動片
３６  横断面半円形突起部
２８′  ガイド溝
３０′・３２′  凹条溝部
３６′  ガイド溝
３６1・３６2  開口部
【図１】
0004859312.tif 000002
【図２】
0004859312.tif 000003
【図３】
0004859312.tif 000004
【図４】
0004859312.tif 000005